(57)【要約】【課題】利用可能時間を延長できる携帯型コンテンツデータ再生装置を提供する。【解決手段】無線通信部１０４によって外部からデータを受信してストリーミングを行っている際に、電池４１の残容量が所定値以下となると無線通信部１０４によるデータの送受信を停止してストリーミングを中止するように構成した。したがって、ヘッドマウントディスプレイ１でストリーミングをしていた場合であっても、無線通信部１０４よりも消費電力が少ない他の入力ソースのコンテンツ再生を所定時間行えるだけの電池４１の残量を確保できる。これにより、電池４１の容量の増大化や省電力化のための回路変更をすることなく、ヘッドマウントディスプレイ１の利用可能時間を延長できる。【選択図】図３
2008078758.tif 000002
【特許請求の範囲】
【請求項１】
コンテンツデータを格納するコンテンツデータ格納手段と、
少なくとも前記コンテンツデータ格納手段に格納されたコンテンツデータを再生する再生手段と、
前記再生手段で再生されたコンテンツの映像を表示する表示手段と、
前記再生手段で再生されたコンテンツの音声を出力する音声出力手段と、
電池残量を検出する電池残量検出手段と、
外部と無線通信によって情報の授受を行う無線通信手段と、
前記電池残量検出手段で検出した電池残量が所定値以下であると判断すると、前記無線通信手段による情報の授受を停止させる停止手段とを備えることを特徴とする携帯型コンテンツデータ再生装置。
【請求項２】
請求項１に記載の携帯型コンテンツデータ再生装置において、
前記コンテンツデータ格納手段に格納された前記コンテンツデータの再生に必要な電力に基づいて前記所定値を算出する所定値算出手段をさらに備えることを特徴とする携帯型コンテンツデータ再生装置。
【請求項３】
請求項２に記載の携帯型コンテンツデータ再生装置において、
前記所定値算出手段は、前記所定値に関するユーザの設定内容を加味して前記所定値を算出することを特徴とする携帯型コンテンツデータ再生装置。
【請求項４】
請求項１に記載の携帯型コンテンツデータ再生装置において、
前記停止手段が前記無線通信手段による情報の授受を停止させる際、前記コンテンツデータ格納手段に格納された前記コンテンツデータをリストアップしたリスト画面を前記表示手段に表示させるよう制御する制御手段をさらに備えることを特徴とする携帯型コンテンツデータ再生装置。
【請求項５】
請求項４に記載の携帯型コンテンツデータ再生装置において、
前記制御手段は、前記リスト画面を前記表示手段に表示させる際に、前記コンテンツデータ格納手段に格納された前記コンテンツデータのそれぞれの再生時間を読み込み、前記電池残量検出手段で検出した電池残量でコンテンツの終了まで再生可能な前記コンテンツデータに識別可能なマークをつけてリスト表示させる、もしくは、前記電池残量検出手段で検出した電池残量でコンテンツの終了まで再生可能な前記コンテンツデータのみをリスト表示させることを特徴とする携帯型コンテンツデータ再生装置。
【請求項６】
請求項１に記載の携帯型コンテンツデータ再生装置において、
前記停止手段が前記無線通信手段による情報の授受を停止させた後、前記コンテンツデータ格納手段に格納された所定のコンテンツデータの再生を開始するよう、前記再生手段を制御する再生制御手段をさらに備えることを特徴とする携帯型コンテンツデータ再生装置。
【発明の詳細な説明】
【技術分野】
【０００１】
本発明は、携帯型のコンテンツデータ再生装置に関する。
【背景技術】
【０００２】
携帯型のコンテンツデータ再生装置として、たとえば、接続された装置からの映像を表示するヘッドマウントディスプレイが知られている（特許文献１参照）。また、外部から無線通信により画像データを受信して表示するヘッドマウントディスプレイが知られている（特許文献２参照）。
【０００３】
【特許文献１】特開２００５−２１５３９３号公報
【特許文献２】特開２００１−２０３９５６号公報
【発明の開示】
【発明が解決しようとする課題】
【０００４】
しかし、近年普及している無線ＬＡＮなどの無線による双方向通信によってコンテンツデータを受信した場合には、再生装置に内蔵されたストレージャや再生装置に有線接続されたストレージャに格納されたコンテンツデータを再生する場合と比べて消費電力が大きい。そのため、無線ＬＡＮなどの無線による双方向通信によってコンテンツデータを受信すると再生装置の利用可能時間が短くなってしまう。
【課題を解決するための手段】
【０００５】
（１）  請求項１の発明による携帯型コンテンツデータ再生装置は、コンテンツデータを格納するコンテンツデータ格納手段と、少なくともコンテンツデータ格納手段に格納されたコンテンツデータを再生する再生手段と、再生手段で再生されたコンテンツの映像を表示する表示手段と、再生手段で再生されたコンテンツの音声を出力する音声出力手段と、電池残量を検出する電池残量検出手段と、外部と無線通信によって情報の授受を行う無線通信手段と、電池残量検出手段で検出した電池残量が所定値以下であると判断すると、無線通信手段による情報の授受を停止させる停止手段とを備えることを特徴とする。
（２）  請求項２の発明は、請求項１に記載の携帯型コンテンツデータ再生装置において、コンテンツデータ格納手段に格納されたコンテンツデータの再生に必要な電力に基づいて所定値を算出する所定値算出手段をさらに備えることを特徴とする。
（３）  請求項３の発明は、請求項２に記載の携帯型コンテンツデータ再生装置において、所定値算出手段は、所定値に関するユーザの設定内容を加味して所定値を算出することを特徴とする。
（４）  請求項４の発明は、請求項１に記載の携帯型コンテンツデータ再生装置において、停止手段が無線通信手段による情報の授受を停止させる際、コンテンツデータ格納手段に格納されたコンテンツデータをリストアップしたリスト画面を表示手段に表示させるよう制御する制御手段をさらに備えることを特徴とする。
（５）  請求項５の発明は、請求項４に記載の携帯型コンテンツデータ再生装置において、制御手段は、リスト画面を表示手段に表示させる際に、コンテンツデータ格納手段に格納されたコンテンツデータのそれぞれの再生時間を読み込み、電池残量検出手段で検出した電池残量でコンテンツの終了まで再生可能なコンテンツデータに識別可能なマークをつけてリスト表示させる、もしくは、電池残量検出手段で検出した電池残量でコンテンツの終了まで再生可能なコンテンツデータのみをリスト表示させることを特徴とする。
（６）  請求項６の発明は、請求項１に記載の携帯型コンテンツデータ再生装置において、停止手段が無線通信手段による情報の授受を停止させた後、コンテンツデータ格納手段に格納された所定のコンテンツデータの再生を開始するよう、再生手段を制御する再生制御手段をさらに備えることを特徴とする。
【発明の効果】
【０００６】
本発明によれば、携帯型コンテンツデータ再生装置の利用可能時間を延長できる。
【発明を実施するための最良の形態】
【０００７】
図１〜４を参照して、本発明による携帯型コンテンツデータ再生装置の一実施の形態を説明する。図１は、本発明による携帯型コンテンツデータ再生装置を適用したヘッドマウントディスプレイの外観を示す図であり、図2は、ヘッドマウントディスプレイを使用者が頭部Ｈに装着した状態を示す図である。なお、説明の便宜上、前後左右方向および上下方向を各図に示すように規定する。ヘッドマウントディスプレイ１は、内蔵する入力ソースから出力されるコンテンツデータを再生して、映像を表示し音声を出力する携帯型の装置である。
【０００８】
ヘッドマウントディスプレイ１のヘッドバンド部２は弾性を有し、その両端部には固定部３が取り付けられ、使用者の頭部Ｈを頭頂部（上方）から挟み込んで、ヘッドマウントディスプレイ１を使用者の頭部Ｈに固定するようになっている。すなわち、ヘッドバンド部２および固定部３は、ヘッドマウントディスプレイ１を使用者が頭部Ｈに装着するための装着部を構成している。なお、ヘッドバンド部２には、後述するＴＶ受信部のアンテナ２ａが内蔵されている。
【０００９】
左右の固定部３は、スピーカ３ａを有する。左側の固定部３には、後述する制御部や無線通信部などの各構成要素が設けられている。また、左側の固定部３にはディスプレイアーム５と無線アンテナ１０５が取り付けられている。
【００１０】
ディスプレイアーム５は、画像表示部２０を片持ち梁構造で支持するもので、後方から前方へ延在するアームであり、ヘッドマウントディスプレイ１を装着した使用者の顔前（眼前）へ向かって湾曲している。ディスプレイアーム５は、内部に空間を有するケース状の部材であり、前方の内部空間には、画像表示部２０を支持する支持部６が設けられている。
【００１１】
画像表示部２０は、不図示の表示デバイスと、この表示デバイスが表示した画像を使用者の眼に導くための光学系（不図示）と、これらを収納するディスプレイケース２０ａとを有している。なお、表示デバイスは、画像を生成する液晶表示装置（ＬＣＤ）と、バックライトとを有する。
【００１２】
図３は、ヘッドマウントディスプレイ１の構成を示すブロック図である。ヘッドマウントディスプレイ１には、左側の固定部３に、制御部１０１と、内蔵ストレージ部１０２と、ＴＶ受信部１０３と、無線通信部１０４と、入力操作部１０６と、映像音声制御部１０７と、時計回路１０８と、電池残量検出部１０９と、左側のスピーカ３ａとが設けられている。
【００１３】
制御部１０１は、ＣＰＵおよびＲＯＭやＲＡＭなどＣＰＵの周辺回路からなり、後述する各部を制御する。内蔵ストレージ部１０２は、ヘッドマウントディスプレイ１における入力ソースの１つであり、フラッシュメモリなどで構成され、映像や音声のデジタルデータ（コンテンツデータ）を格納する。内蔵ストレージ部１０２は、制御部１０１からの制御信号に基づいて、格納しているコンテンツデータを制御部１０１に出力する。ＴＶ受信部１０３は、ヘッドマウントディスプレイ１における入力ソースの１つであり、アンテナ２ａを介してＩＳＤＢ−Ｔ規格に対応した地上デジタル放送の放送波を受信し、部分受信向けコンテンツの映像・音声のデジタルデータ（コンテンツデータ）を生成して、制御部１０１に出力する。
【００１４】
無線通信部１０４は、無線ＬＡＮによって外部と通信を行う通信装置であり、ヘッドマウントディスプレイ１における入力ソースの１つである。無線通信部１０４は、制御部１０１から出力されたデータを、無線アンテナ１０５を介して外部に送信するとともに、無線アンテナ１０５を介して外部から受信したデジタルデータを制御部１０１へ出力する。無線通信部１０４は、制御部１０１から出力されるオン信号およびオフ信号によってオン／オフが制御される。入力操作部１０６は、左側の固定部３ａの外表面に設けられた操作スイッチ群である。入力操作部１０６がユーザによって操作されると、操作信号が制御部１０１へ出力される。制御部１０１は、入力操作部１０６からの操作信号に基づいてヘッドマウントディスプレイ１の各部を制御する。
【００１５】
映像音声制御部１０７は、制御部１０１を介して、内蔵ストレージ部１０２や、ＴＶ受信部１０３、無線通信部１０４から出力されたコンテンツデータを受信して、音声信号および映像信号を生成する。映像音声制御部１０７で生成された音声信号は左右のスピーカ３ａに出力され、映像音声制御部１０７で生成された映像信号は画像表示部２０に出力される。時計回路１０８は、現在の時刻の情報を制御部１０１に出力する。電池残量検出部１０９は、左側の固定部３に装着された電池４１の電圧を検出して電池４１の残容量を算出し、電池残量値の情報として制御部１０１に出力する。
【００１６】
このように構成されるヘッドマウントディスプレイ１では、入力操作部１０６の操作によっていずれかの入力ソースが選択されて、再生操作が行われると、選択された入力ソースからコンテンツデータが制御部１０１を介して映像音声制御部１０７に出力される。映像音声制御部１０７は受信したコンテンツデータから映像信号および音声信号を生成して、画像表示部２０およびスピーカ３ａに出力する。その結果、選択された入力ソースから出力されたコンテンツデータが再生されて、映像が画像表示部２０に表示され、音声がスピーカ３ａから出力される。
【００１７】
たとえば、入力ソースとして内蔵ストレージ部１０２が選択されている場合には、内蔵ストレージ部１０２に格納されたコンテンツデータが再生されて提示される。入力ソースとしてＴＶ受信部１０３が選択されている場合には、ＴＶ受信部１０３で受信された部分受信向けコンテンツが提示される。入力ソースとして無線通信部１０４が選択されている場合には、無線通信部１０４で受信された外部のコンテンツデータが再生されて提示される。
【００１８】
なお、入力ソースとして内蔵ストレージ部１０２が選択されている場合には、制御部１０１は内蔵ストレージ部１０２に格納されたすべてのコンテンツデータのリストを生成して画像表示部２０に表示するよう各部を制御する。そして、コンテンツデータのリストの中から、入力操作部１０６の操作によっていずれかのコンテンツデータが選択されると、制御部１０１は選択されたコンテンツデータが再生されて提示されるように各部を制御する。
【００１９】
−−−利用可能時間の延長化について−−−
ヘッドマウントディスプレイ１は電池４１の電力で駆動されるため、消費電力の多少によって利用可能時間が変化する。特に双方向通信を行う無線通信部１０４では消費電力が多い。無線通信部１０４を利用した外部のコンテンツデータの受信および再生（ストリーミング）をできる限り継続させた場合、電池４１の残容量が減ってストリーミングができなった時点では、より消費電力の少ない、他の入力ソースのコンテンツデータの再生も行えなくなってしまう。そのため、ヘッドマウントディスプレイ１の利用可能時間が極端に短くなってしまう。
【００２０】
そこで、本実施の形態のヘッドマウントディスプレイ１では、以下に述べるように、ストリーミングを行っているときに電池４１の残容量が所定の容量よりも少なくなった場合には、ストリーミングを中止して、他の入力ソースへの切り替えをユーザに促すこととしている。このようにすることで、電池４１の容量の増大化や省電力化のための回路変更をすることなく、消費電力の多いストリーミングの実施と、ヘッドマウントディスプレイ１の利用可能時間の延長とを両立できる。
【００２１】
−−−設定時間管理によるストリーミングの自動停止−−−
本実施の形態のヘッドマウントディスプレイ１では、ストリーミング中に次の条件をすべて満たした場合に、ストリーミングを中止する。
（ａ１）  入力操作部１０６の操作によって、電池４１の残容量が少なくなった際にストリーミングを自動的に停止させる自動停止機能が働くように設定されている。
（ａ２）  ストリーミング中に電池４１の残容量が減少して、「内蔵ストレージ部１０２に格納されたコンテンツデータを再生した場合にあらかじめ定められた所定時間だけ再生可能な残容量」（以下、第１残容量と呼ぶ）に達すると上述した自動停止機能が働くように、入力操作部１０６の操作によって設定されている。
（ａ３）  ストリーミング中の電池４１の残容量が第１残容量に達する。
【００２２】
すなわち、制御部１０１は、ストリーミングが行われている場合に、上記（ａ１），（ａ２）の条件が満たされていると判断すると、電池残量検出部１０９で算出された電池残量値の情報を読み込む。そして制御部１０１は、電池残量検出部１０９で算出された電池残量値の情報と、内蔵ストレージ部１０２に格納されたコンテンツデータを再生するときのヘッドマウントディスプレイ１の消費電力の値に基づいて、現時点でストリーミングを中止して内蔵ストレージ部１０２に格納されたコンテンツデータを再生した場合に再生可能な時間を算出する。
【００２３】
制御部１０１は、算出した再生可能な時間が、上記条件（ａ２）の「あらかじめ定められた所定時間」よりも長ければ、上記条件（ａ３）を満たさないと判断し、上記条件（ａ２）の「あらかじめ定められた所定時間」以下であれば、上記条件（ａ３）を満たすと判断する。
【００２４】
制御部１０１は、上記条件（ａ３）を満たすと判断すると、無線通信部１０４にオフ信号を出力して、無線通信部１０４によるデータの送受信を停止してストリーミングを中止させる。また、制御部１０１は、上記条件（ａ３）を満たすと判断すると、内蔵ストレージ部１０２に格納されたコンテンツデータの再生時間を読み込んで、電池４１の残容量で最初から最後まで再生可能なコンテンツデータをリストアップする。そして、制御部１０１は、電池の残容量が少なくなった旨とともに、当該コンテンツデータのリストを画像表示部２０に表示させるよう各部を制御する。
【００２５】
入力操作部１０６の操作によって、当該コンテンツデータのリストからいずれかのコンテンツデータが選択されると、制御部１０１は、選択されたコンテンツデータを再生するよう各部を制御する。入力操作部１０６の操作によって、ストリーミングの再開が指示されると、制御部１０１はストリーミングを再開するよう各部を制御する。
【００２６】
なお、上記条件（ａ２）の「あらかじめ定められた所定時間」は、入力操作部１０６の操作によってユーザがあらかじめ任意に設定可能である。
【００２７】
−−−設定時刻管理によるストリーミングの自動停止−−−
本実施の形態のヘッドマウントディスプレイ１では、ストリーミング中に次の条件をすべて満たした場合にも、ストリーミングを中止する。
（ｂ１）  入力操作部１０６の操作によって、電池４１の残容量が少なくなった際にストリーミングを自動的に停止させる自動停止機能が働くように設定されている。なおこの条件は、上述した（ａ１）と同じ条件である。
（ｂ２）  ストリーミング中に電池４１の残容量が減少して、「内蔵ストレージ部１０２に格納されたコンテンツデータを再生した場合にあらかじめ設定された時刻まで再生可能な残容量」（以下、第２残容量と呼ぶ）に達すると上述した自動停止機能が働くように、入力操作部１０６の操作によって設定されている。
（ｂ３）  ストリーミング中の電池４１の残容量が第２残容量に達する。
【００２８】
すなわち、制御部１０１は、ストリーミングが行われている場合に、上記条件（ｂ１），（ｂ２）が満たされていると判断すると、電池残量検出部１０９で算出された電池残量値の情報を読み込む。そして制御部１０１は、電池残量検出部１０９で算出された電池残量値の情報と、あらかじめ記憶されている内蔵ストレージ部１０２の消費電力の値に基づいて、現時点でストリーミングを中止して内蔵ストレージ部１０２に格納されたコンテンツデータを再生した場合の再生可能な時間を算出する。そして、算出した再生可能な時間を時計回路１０８から読み込んだ現在の時刻に加算した時刻、すなわち現時点でストリーミングを中止して内蔵ストレージ部１０２に格納されたコンテンツデータを再生した場合にいつまで再生可能であるか、その時刻（再生可能時刻）を算出する。
【００２９】
制御部１０１は、算出した再生可能時刻が上記条件（ｂ２）の「あらかじめ設定された時刻」よりも遅ければ、上記条件（ｂ３）を満たさないと判断し、上記条件（ｂ２）の「あらかじめ設定された時刻」と同じか早ければ、であれば、上記条件（ｂ３）を満たすと判断する。
【００３０】
制御部１０１は、上記条件（ｂ３）を満たすと判断すると、無線通信部１０４にオフ信号を出力して、無線通信部１０４によるデータの送受信を停止してストリーミングを中止させる。また、制御部１０１は、上記条件（ｂ３）を満たすと判断すると、内蔵ストレージ部１０２に格納されたコンテンツデータの再生時間を読み込んで、電池４１の残容量で最初から最後まで再生可能なコンテンツデータをリストアップする。そして、制御部１０１は、電池の残容量が少なくなった旨とともに、当該コンテンツデータのリストを画像表示部２０に表示させるよう各部を制御する。
【００３１】
入力操作部１０６の操作によって、当該コンテンツデータのリストからいずれかのコンテンツデータが選択されると、制御部１０１は、選択されたコンテンツデータを再生するよう各部を制御する。入力操作部１０６の操作によって、ストリーミングの再開が指示されると、制御部１０１はストリーミングを再開するよう各部を制御する。
【００３２】
なお、上記条件（ｂ２）の「あらかじめ設定された時刻」は、入力操作部１０６の操作によってユーザがあらかじめ任意に設定可能である。
【００３３】
このように、本実施の形態のヘッドマウントディスプレイ１では、電池４１の残容量が少なくなった際にストリーミングを自動的に停止させる自動停止機能が働くように設定されている場合、上述した所定の条件を満たせば、ストリーミングが自動的に停止される。なお、上述した自動停止機能が働かないように設定されている場合には、電池４１の残容量が少なくなってもストリーミングは自動的には停止されない。上述した自動停止機能を働かせるか否かは、入力操作部１０６の操作によってあらかじめ設定可能である。
【００３４】
すなわち、本実施の形態のヘッドマウントディスプレイ１では、自動停止機能を働かせるか否か、自動停止機能によるストリーミング中止後どの程度の時間だけ内蔵ストレージ部１０２に格納されたコンテンツデータを再生させるか、などのユーザの設定内容を反映可能である。なお、入力ソースとして無線通信部１０４以外の内蔵ストレージ部１０２やＴＶ受信部１０３が選択されている場合には、電池４１の残容量が少なくなって、選択されている入力ソースからのコンテンツデータの再生が行えなくなるまで再生が継続される。
【００３５】
−−−フローチャート−−−
図４は、コンテンツデータの再生処理の動作を示すフローチャートである。不図示の電源スイッチがオンされると、図４に示す処理を行うプログラムが起動され、制御部１０１で実行される。ステップＳ１において、入力操作部１０６の操作によっていずれかの入力ソースが選択されて、再生操作が行われるまで待機する。ステップＳ１が肯定判断されるとステップＳ３へ進み、選択されている入力ソースが何であるかを判断する。入力ソースとして内蔵ストレージ部１０２が選択されている場合にはステップＳ５へ進み、入力ソースとしてＴＶ受信部１０３が選択されている場合にはステップＳ３１へ進み、入力ソースとして無線通信部１０４が選択されている場合にはステップＳ４１へ進む。
【００３６】
すなわち、ステップＳ３で入力ソースとして内蔵ストレージ部１０２が選択されていると判断されるとステップＳ５へ進み、内蔵ストレージ部１０２に格納されたすべてのコンテンツデータのリストを生成してステップＳ７へ進む。ステップＳ７において、ステップＳ５で生成されたコンテンツデータのリストを画像表示部２０に表示させてステップＳ９へ進む。ステップＳ９において、ステップＳ７で画像表示部２０に表示されたコンテンツデータのリストからいずれかのコンテンツデータが選択されるまで待機する。
【００３７】
ステップＳ９が肯定判断されるとステップＳ１１へ進み、入力ソースを内蔵ストレージ部１０２に切り替えてステップＳ１３へ進む。ステップＳ１３において、ステップＳ９で選択されたコンテンツデータの再生を開始してステップＳ１５へ進む。ステップＳ１５において、入力操作部１０６の操作によってコンテンツデータの再生停止を指示されたか否かを判断する。ステップＳ１５が肯定判断されるとステップＳ２５へ進み、コンテンツデータの再生を停止してステップＳ１へ戻る。
【００３８】
ステップＳ１５が否定判断されるとステップＳ１７へ進み、入力操作部１０６の操作によって入力ソースの切り替えを指示されたか否かを判断する。ステップＳ１７が肯定判断されるとステップＳ３へ戻る。ステップＳ１７が否定判断されるとステップＳ１９へ進み、入力操作部１０６の操作によってヘッドマウントディスプレイ１の電源がオフされたか否かを判断する。ステップＳ１９が肯定判断されるとステップＳ２７へ進み、ヘッドマウントディスプレイ１の電源がオフして本プログラムを終了する。
【００３９】
ステップＳ１９が否定判断されるとステップＳ２１へ進み、選択されている入力ソースが無線通信部１０４であるか否かを判断する。ステップＳ２１が肯定判断されると後述するステップＳ４５へ進む。ステップＳ２１が否定判断されるとステップＳ２３へ進み、電池残量検出部１０９で算出された電池残量値の情報を読み込んでコンテンツデータの再生に十分な残容量が残っているか否かを判断する。ステップＳ２３が肯定判断されるとステップＳ１５へ戻る。ステップＳ２３が否定判断されるとステップＳ２７へ進む。
【００４０】
ステップＳ３で入力ソースとしてＴＶ受信部１０３が選択されていると判断されるとステップＳ３１へ進み、入力ソースをＴＶ受信部１０３に切り替えてステップＳ３３へ進む。ステップＳ３３において、ＴＶ受信部１０３で受信された部分受信向けコンテンツの提示を開始してステップＳ１５へ進む。
【００４１】
ステップＳ３で入力ソースとして無線通信部１０４が選択されていると判断されるとステップＳ４１へ進み、入力ソースを無線通信部１０４に切り替えてステップＳ４３へ進む。ステップＳ４３において、ストリーミングを開始してステップＳ４５へ進む。ステップＳ４５において、上述したストリーミングの自動停止機能が働くように設定されているか否かを判断する。ステップＳ４５が否定判断されるとステップＳ１５へ進む。ステップＳ４５が肯定判断されるとステップＳ４７へ進み、上述した第１残容量に達すると自動停止機能が働くように設定されているか、上述した第２残容量に達すると自動停止機能が働くように設定されているかを判断する。
【００４２】
ステップＳ４７で上述した第２残容量に達すると自動停止機能が働くように設定されていると判断されるとステップＳ４９へ進み、電池残量検出部１０９で算出された電池残量値の情報と、時計回路１０８から出力される現在の時刻の情報を読み込んでステップＳ５１へ進む。ステップＳ５１において、上記条件（ｂ３）を満たすか否かを判断する。すなわち、現時点でストリーミングを中止して内蔵ストレージ部１０２に格納されたコンテンツデータを再生した場合にいつまで再生可能であるかを算出し、その時刻が上記条件（ｂ２）の「あらかじめ設定された時刻」よりも遅いか否かを判断する。
【００４３】
ステップＳ５１が肯定判断されるとステップＳ１５へ進む。ステップＳ５１が否定判断されるとステップＳ５３へ進み、ストリーミングを中止させてステップＳ５５へ進む。ステップＳ５５において、内蔵ストレージ部１０２に格納されたコンテンツデータのうち、電池４１の残容量で最初から最後まで再生可能なコンテンツデータをリストアップしてステップＳ５７へ進む。ステップＳ５７において、電池の残容量が少なくなった旨とともに、当該コンテンツデータのリストを画像表示部２０に表示させてステップＳ５９へ進む。
【００４４】
ステップＳ５９において、入力操作部１０６の操作によって、ストリーミングの再開が指示されたか否かを判断する。ステップＳ５９が否定判断されるとステップＳ６１へ進み、ステップＳ５７で画像表示部２０に表示されたコンテンツデータのリストの中からいずれかのコンテンツデータが選択されたか否かを判断する。ステップＳ６１が否定判断されるとステップＳ５９へ戻る。ステップＳ６１が肯定判断されるとステップＳ６３へ進み、入力ソースを内蔵ストレージ部１０２に切り替えるとともに、ステップＳ６１で選択されたコンテンツデータの再生を開始してステップＳ１５へ進む。
【００４５】
ステップＳ５９が肯定判断されるとステップＳ６５へ進み、ストリーミングを再開してステップＳ６７へ進む。ステップＳ６７において、自動停止機能が働かないように設定してステップＳ１５へ進む。
【００４６】
ステップＳ４７で上述した第１残容量に達すると自動停止機能が働くように設定されていると判断されるとステップＳ７１へ進み、電池残量検出部１０９で算出された電池残量値の情報を読み込んでステップＳ７３へ進む。ステップＳ７３において、上記条件（ａ３）を満たすか否かを判断する。すなわち、現時点でストリーミングを中止して内蔵ストレージ部１０２に格納されたコンテンツデータを再生した場合の再生可能な時間が上記条件（ａ２）の「あらかじめ定められた所定時間」よりも長いか否かを判断する。
【００４７】
ステップＳ７３が肯定判断されるとステップＳ１５へ進む。ステップＳ７３が否定判断されるとステップＳ７５へ進み、ストリーミングを中止させてステップＳ７７へ進む。ステップＳ７７において、内蔵ストレージ部１０２に格納されたコンテンツデータのうち、電池４１の残容量で最初から最後まで再生可能なコンテンツデータをリストアップしてステップＳ５７へ進む。
【００４８】
上述したヘッドマウントディスプレイ１では、次の作用効果を奏する。
（１）  無線通信部１０４によって外部からデータを受信してストリーミングを行っている際に、電池４１の残容量が所定値以下となると無線通信部１０４によるデータの送受信を停止してストリーミングを中止するように構成した。これにより、電池４１の容量の増大化や省電力化のための回路変更をすることなく、ヘッドマウントディスプレイ１の利用可能時間を延長できる。すなわち、無線通信部１０４で双方向通信を行う場合と比べて、内蔵ストレージ部１０２に格納されたコンテンツデータの読み出しでは消費電力が少なくて済むので、ストリーミングを途中で中止させることで、より消費電力の少ない、他の入力ソースのコンテンツデータの再生を所定時間行えるだけの電池４１の残量を確保できる。
【００４９】
（２）  電池残量検出部１０９で算出された電池残量値の情報と、内蔵ストレージ部１０２の消費電力とに基づいて、現時点でストリーミングを中止して内蔵ストレージ部１０２に格納されたコンテンツデータを再生した場合に再生可能な時間を算出するように構成した。これにより、任意に設定されたヘッドマウントディスプレイ１の利用可能時間に合わせて消費電力の多いストリーミングをできる限り長時間実施できるので、ストリーミングを継続させたいというユーザの要望に添うことができる。
【００５０】
（３）  上述した自動停止機能を働かせるか否か、自動停止機能によるストリーミング中止後どの程度の時間だけ内蔵ストレージ部１０２に格納されたコンテンツデータを再生させるか、などのユーザの設定内容を加味するように構成した。これにより、どの程度の電池４１の残容量までストリーミングを継続するかというユーザの設定要求を満たすことができる。
【００５１】
（４）  上述した自動停止機能によるストリーミング中止後に、内蔵ストレージ部１０２に格納されたコンテンツデータをリストアップして画像表示部２０に表示させるように構成した。これにより、内蔵ストレージ部１０２に格納されたコンテンツデータを選択する際の操作の手間を軽減することができる。また、画像表示部２０に表示されるリストには、電池４１の残容量で最初から最後まで再生可能なコンテンツデータだけがリストアップされるように構成した。これにより、再生されたコンテンツが終わりまで継続されるので、一旦再生されたらコンテンツの最後まで視聴したいというユーザの期待に応えることができる。
【００５２】
−−−変形例−−−
（１）  上述の説明では、上述した自動停止機能によってストリーミングを中止するようにしているが、本発明はこれに限定されず、ストリーミング以外の無線通信部１０４によるデータの送受信中であっても、上述した自動停止の条件を満たした際に無線通信部１０４によるデータの送受信を停止させてもよい。
【００５３】
なお、上述の説明では特に言及していないが、再生されているコンテンツデータの入力ソースがいずれであっても、コンテンツデータの再生と並行して、ストリーミング以外の無線通信部１０４によるデータの送受信ができるように構成してもよい。この場合であっても、上述した自動停止の条件を満たした際には無線通信部１０４によるデータの送受信を停止させることが望ましい。
【００５４】
（２）  上述の説明では、電池４１の残容量が第１残容量または第２残容量に達するとストリーミングを中止するように構成しているが、ストリーミングをすぐには中止せず、電池の残容量が少なくなった旨を画像表示部２０に表示させて、ストリーミングの中止をユーザに促すようにしてもよい。
【００５５】
（３）  上述の説明では、無線通信部１０４は無線ＬＡＮによって外部と通信を行う通信装置であるが、本発明はこれに限定されず、Ｂｌｕｅｔｏｏｔｈや赤外線通信等、他の規格の無線による双方向通信を行う装置であってもよい。すなわち、本発明では、電池４１の残容量が所定容量に達したときに消費電力の多い双方向通信を停止することで、消費電力の少ない他の入力ソースのコンテンツ再生時間を確保できればよい。
【００５６】
（４）  上述の説明では、内蔵ストレージ部１０２はフラッシュメモリを内蔵する記憶装置であるが、メモリカードなどを挿抜できるメモリカードリーダであってもよい。また、内蔵ストレージ部１０２はフラッシュメモリで構成された記憶装置であるが、ハードディスクドライブ装置など、他の種類の記憶装置であってもよい。
【００５７】
（５）  上述の説明では、自動停止機能によるストリーミング中止後に、内蔵ストレージ部１０２に格納されたコンテンツデータのうち電池４１の残容量で最初から最後まで再生可能なコンテンツデータをリストアップして画像表示部２０に表示させるように構成したが、本発明はこれに限定されない。たとえば、自動停止機能によるストリーミング中止後に、内蔵ストレージ部１０２に格納されたコンテンツデータをすべてリストアップして、画像表示部２０に表示させるように構成してもよい。この場合、電池４１の残容量で最初から最後まで再生可能なコンテンツデータには印をつけたり、強調表示することなどによって、電池４１の残容量では最後まで再生できないコンテンツデータとは識別可能な状態で画像表示部２０に表示させることが望ましい。
【００５８】
（６）  上述の説明では、自動停止機能によるストリーミング中止後に、内蔵ストレージ部１０２に格納されたコンテンツデータのうち電池４１の残容量で最初から最後まで再生可能なコンテンツデータをリストアップして画像表示部２０に表示させるように構成したが、本発明はこれに限定されない。たとえば、ストリーミングの開始前に視聴していたコンテンツの続きを自動的に再生するようにしてもよく、あらかじめユーザが指定しておいたコンテンツを再生するようにしてもよい。
【００５９】
なお、あらかじめユーザが指定しておいたコンテンツ（以下、指定コンテンツと呼ぶ）を再生する場合には、次のように構成してもよい。すなわち、制御部１０１が、指定コンテンツを最初から最後まで再生するのに要する時間（再生所要時間）をあらかじめ内蔵ストレージ部１０２から読み込むように構成する。そして、制御部１０１が、ストリーミング中に電池４１の残容量が減って、読み込んだ再生所要時間だけ再生可能な残容量に達するとストリーミングを中止し、指定コンテンツの再生を開始するように構成してもよい。
【００６０】
（７）  上述の説明では、ＴＶ受信部１０３は、部分受信向けコンテンツの映像・音声のデータを生成するように構成しているが、固定受信向けコンテンツの映像・音声データを生成するように構成してもよい。また、ＴＶ受信部１０３でアナログテレビジョン放送を受信するように構成してもよい。
【００６１】
（８）  上述の説明では、内蔵ストレージ部１０２は、ヘッドマウントディスプレイ１に内蔵されている記憶装置であるが、本発明はこれに限定されず、ヘッドマウントディスプレイ１とは分離されていて、ヘッドマウントディスプレイ１とはケーブルによって接続される記憶装置であってもよい。また、ヘッドマウントディスプレイ１に外部ＡＶ入力部を設け、外部ＡＶ入力部に別途接続された外部の装置を入力ソースとして選択可能に構成してもよい。すなわち、入力ソースとして外部ＡＶ入力部が選択された場合に、外部ＡＶ入力部に接続された外部の装置から出力されるコンテンツデータを再生可能に構成してもよい。なお、上述した内蔵ストレージ部１０２、ＴＶ受信部１０３、および無線通信部１０４は入力ソースの一例であり、コンテンツデータを出力可能な他の入力ソースが設けられていてもよい。
【００６２】
（９）  上述の説明では、ヘッドマウントディスプレイ１について説明したが、本発明はこれに限定されず、ヘッドマウントディスプレイの形態とは異なる他の形態の携帯型コンテンツデータ再生装置であってもよい。
【００６３】
（１０）  上述した各実施の形態および変形例は、それぞれ組み合わせてもよい。なお、本発明は、上述した実施の形態のものに何ら限定されず、コンテンツデータを格納するコンテンツデータ格納手段と、少なくともコンテンツデータ格納手段に格納されたコンテンツデータを再生する再生手段と、再生手段で再生されたコンテンツの映像を表示する表示手段と、再生手段で再生されたコンテンツの音声を出力する音声出力手段と、電池残量を検出する電池残量検出手段と、外部と無線通信によって情報の授受を行う無線通信手段と、電池残量検出手段で検出した電池残量が所定値以下であると判断すると、無線通信手段による情報の授受を停止させる停止手段とを備える各種構造の携帯型コンテンツデータ再生装置を含むものである。
【図面の簡単な説明】
【００６４】
【図１】ヘッドマウントディスプレイ１の外観を示す図である。
【図２】ヘッドマウントディスプレイ１を使用者が頭部Ｈに装着した状態を示す図である。
【図３】ヘッドマウントディスプレイ１の構成を示すブロック図である。
【図４】コンテンツデータの再生処理の動作を示すフローチャートである。
【符号の説明】
【００６５】
１  ヘッドマウントディスプレイ          ３  固定部
３ａ  スピーカ                          ２０  画像表示部
４１  電池                              １０１  制御部
１０２  内蔵ストレージ部                １０３  ＴＶ受信部
１０４  無線通信部                      １０５  無線アンテナ
１０６  入力操作部                      １０９  電池残量検出部
【図１】
2008078758.tif 000003
【図２】
2008078758.tif 000004
【図３】
2008078758.tif 000005
【図４】
2008078758.tif 000006